(57)【要約】【課題】  陶磁器が建築材料として使用できるようにする管構造体及びそれを利用した手すりを提供する。また、今までにない質感を有するようにして既存の手すりとの差別化を図ることができるようにしたものを提供する。更に、室外に設置した場合でも優れた耐候性を有するようにしたものを提供する。【解決手段】  手すりＴ１は、管構造体１と固定金具２，２を備えて構成されている。管構造体１は、磁器製で直管状の磁器管１０を備えている。磁器管１０の外表面には、絵付けにより装飾が施してある。磁器管１０の内部には金属製の芯材１１が貫通させて設けてある。また、芯材１１が設けられた磁器管１０の内部には、充填物であるモルタル１２が、芯材１１を埋め込んで、かつ磁器管１０の内面と略密着するよう充填して固化してある。【選択図】        図１
2006257818.tif 000002
【特許請求の範囲】
【請求項１】
陶器管または磁器管が備える中空部内に、所要の強度を有する芯材が通してあり、上記中空部には、充填物が固化した状態で当該中空部の内面と密着するかまたは実質的に密着するよう充填してあることを特徴とする、
管構造体。
【請求項２】
芯材は、線状体と、当該線状体が中空部の中心部かまたは実質的に中心部となる位置を通るようにするスペーサとを備えて構成してあることを特徴とする、
請求項１記載の管構造体。
【請求項３】
陶器管または磁器管の表面に装飾が施してあることを特徴とする、
請求項１または２記載の管構造体。
【請求項４】
陶器管または磁器管は発熱手段を備えていることを特徴とする、
請求項１，２または３記載の管構造体。
【請求項５】
請求項１，２，３または４記載の管構造体と、
当該管構造体を取付部に固定するための固定具と、
を備えたことを特徴とする、
手すり。
【発明の詳細な説明】
【技術分野】
【０００１】
本発明は管構造体及びそれを利用した手すりに関する。更に詳しくは、陶磁器が建築材料として使用できるようにしたものに関する。また、今までにない質感を有するようにして既存の手すりとの差別化を図ることができるようにしたもの関する。更に、室外に設置した場合でも優れた耐候性を有するようにしたものに関する。
【背景技術】
【０００２】
立ち上がったり座ったりする場所（例えば、浴室やトイレ等）の壁面には、動作補助用に手すりが設けられていることが多い。このような手すりは、直線部や曲線部を備える棒状の手すり構成体の端部に、壁面に取り付けるための取付具が設けられた構造を有している。近年では、バリアフリーの思想を取り入れて建築される建物が多く、手摺の需要は益々増加傾向にある。
【０００３】
【特許文献１】特開２００２−２０１７８４号公報
【発明の開示】
【発明が解決しようとする課題】
【０００４】
しかし、上記したような従来の手すりには、次のような課題があった。
従来からある手すりは、木材、金属、合成樹脂といった材料を単独もしくは複合させて製造されたものが一般的であり、材料の質感という観点において目新しさがなかった。また手すりは、その用途からしても形状のバリエーションが限られたものになりやすい。そのため手すりは外観上で差別化を図ることが困難であった。
【０００５】
また、手すりは上記した材料で製造されていたので、例えば、室外に設置された場合では、腐ったり、錆びたり（酸化したり）、太陽光や潮風等によって劣化したり（耐候性が良くない）し易かった。
【０００６】
本発明者は、手すりの開発に携わっており、上記したような理由から、従来からあるのものと比べて外観で差別化を図ることができ、なおかつ耐腐食性、耐候性に優れる個性的な手すりができないものか研究を重ねていた。
【０００７】
そうして本発明者は、手すりを構成する材料として陶磁器（陶器や磁器等（セラミックを含む）の焼成物）に着目した。しかし、陶磁器は当然ながら物が当たったり落としたりすることによって直ぐに割れてしまうという課題があった。
【０００８】
そこで本発明者は、上記課題を解決すべく種々の実験を行った。その結果、陶磁器に中空部を形成し、その内部に所要の強度を備えた芯材を設けて、更に、充填物を固化させた状態で充填し、充填物と陶磁器とを密着させることができれば、外観に陶磁器を使った場合でも割れ難い手すりができるのではないかとの着想を得た。
本発明は上記着想に基づき完成されたものである。
【０００９】
本発明の目的は、陶磁器が建築材料として使用できるようにすることにある。
また、本発明の他の目的は、今までにない質感を有するようにして既存の手すりとの差別化を図ることができる管構造体及びそれを利用した手すりを提供することにある。
更に、本発明の他の目的は、室外に設置した場合でも優れた耐候性を有する管構造体及びそれを利用した手すりを提供することにある。
【課題を解決するための手段】
【００１０】
上記目的を達成するために本発明が講じた手段は次のとおりである。
第１の発明にあっては、
陶器管または磁器管が備える中空部内に、所要の強度を有する芯材が通してあり、上記中空部には、充填物が固化した状態で当該中空部の内面と密着するかまたは実質的に密着するよう充填してあることを特徴とする、
管構造体である。
【００１１】
第２の発明にあっては、
芯材は、線状体と、当該線状体が中空部の中心部かまたは実質的に中心部となる位置を通るようにするスペーサとを備えて構成してあることを特徴とする、
第１の発明に係る管構造体である。
【００１２】
第３の発明にあっては、
陶器管または磁器管の表面に装飾が施してあることを特徴とする、
第１または第２の発明に係る管構造体である。
【００１３】
第４の発明にあっては、
陶器管または磁器管は発熱手段を備えていることを特徴とする、
第１，第２または第３の発明に係る管構造体である。
【００１４】
第５の発明にあっては、
第１，第２，第３または第４の発明に係る管構造体と、
当該管構造体を取付部に固定するための固定具と、
を備えたことを特徴とする、
手すりである。
【００１５】
芯材は、陶器管または磁器管の中空部内全長にわたり連続した状態で設けることもできるし、断続した状態で設けることもできる。また、芯材は、剛性を備えるものや、可撓性または変形性を備えるものを使用することができる。
【００１６】
陶器管または磁器管の表面に設ける装飾としては、例えば、絵付けを挙げることができる。なお、本明細書において絵付けという用語は、絵具や釉薬等で彩飾を施すことはいうまでもなく、印刷（プリント）やシール等によって彩飾を施す場合も含む概念として使用している。
【００１７】
本発明に係る管構造体は、手すりの他、例えば、欄干、柵、ベランダ枠、ドアのハンドル、絵画や看板等の額縁材、柱材、各種化粧材、等、多種多様な用途のものに使用できる。
【００１８】
中空部内に充填する充填物は、特に限定するものではないが、例えば、モルタル、合成樹脂、天然樹脂等を使用することができる。このうち合成樹脂や天然樹脂にあっては、例えば、透明な状態で固化できるようなものを使用することもできる。この場合では、陶器管または磁器管に透光性を有するものを使用するようにし、更に、中空部内に発光体を入れることで、管構造体を光らせることができる。このような管構造体は、照明のように使用したり、また、案内灯として使用したりできる。
【００１９】
（作  用）
本発明に係る管構造体及び手すりは、陶器管または磁器管が備える中空部内に所要の強度を有する芯材を通し、その後、上記中空部に内面と密着するかまたは実質的に密着するよう充填物を充填して固化させて製造される。管構造体は、このような構造を有することにより、素材に陶器や磁器を使った場合でも割れ難い。また、仮に陶器管または磁器管が割れた場合でも、芯材が設けてありこれで繋がれるので直ちには破壊しない。
【００２０】
芯材が、線状体と、当該線状体が中空部の中心部かまたは実質的に中心部となる位置を通るようにするスペーサとを備えて構成してあるものは、線状体を陶器管または磁器管が備える中空部に通して、当該中空部内の略中心部を通る位置に配置することができる。
【００２１】
陶器管または磁器管の表面に装飾が施してあるものは、当該陶器管または磁器管に意匠性が付与できる。
【００２２】
陶器管または磁器管が発熱手段を備えたものは、当該陶器管または磁器管を温めたり、冷たくしたりできる。
【発明の効果】
【００２３】
本発明は上記構成を備え、次の効果を有する。
（ａ）本発明に係る管構造体は、陶器管または磁器管が備える中空部内に所要の強度を有する芯材を通し、その後、上記中空部に内面と密着するかまたは実質的に密着するよう充填物を充填して固化させて製造される。管構造体は、このような構造を有することにより、素材に陶器や磁器を使った場合でも割れ難くでき、建築材料として使用することが可能である。また、仮に陶器管または磁器管が割れた場合でも、芯材が設けてありこれで繋がれるので直ちには破壊せず安全性が高い。
【００２４】
（ｂ）本発明に係る管構造体は、陶器管または磁器管を使用して形成してあるので、例えば、木材、金属、合成樹脂等にはない独特の風合いと質感を有している。従って、管構造体によって例えば手すりを構成した場合では、斬新な外観にでき差別化を図ることができる。
【００２５】
（ｃ）本発明に係る管構造体及び手すりは、耐腐食性、耐光性、耐薬品性等の性質を有する陶器管または磁器管を使用して形成してあるので、例えば、室外に設置された場合でも長期間品質が劣化しない。従って、例えば、金属等のものでは今まで長期にわたる設置が困難であるとされていた温泉や海辺等の場所でも支障なく設置可能である。
【００２６】
（ｄ）芯材が、線状体と、当該線状体が中空部の中心部かまたは実質的に中心部となる位置を通るようにするスペーサとを備えて構成してあるものは、線状体を陶器管または磁器管が備える中空部に通して、当該中空部内の略中心部を通る位置に配置することができる。従って、手すりは、全長にわたって略均等な強度を備えるようできる（強度に偏りが生じ難い）。
【００２７】
（ｅ）陶器管または磁器管の表面に装飾が施してあるものは、当該陶器管または磁器管に意匠性が付与できる。
【００２８】
（ｆ）陶器管または磁器管が発熱手段を備えたものは、当該陶器管または磁器管を温めたり、冷たくしたりできる。
【発明を実施するための最良の形態】
【００２９】
本発明の実施の形態を図面に基づき更に詳細に説明する。
図１は本発明に係る手すりの第１の実施の形態を示す斜視説明図、
図２は図１に示す手すりの端側を示す断面説明図である。
符号Ｔ１は手すりを示している。手すりＴ１は、管構造体１と、管構造体１の両端側に設けた固定具である固定金具２，２を備えて構成されている。
【００３０】
管構造体１は、所要長さを有する直管状の磁器管１０を備えている。磁器管１０の外表面には、絵付け（染め付け等）により装飾が施してある。磁器管１０の中空部である内部には金属製の芯材１１が貫通させて設けてある。また、芯材１１が設けられた磁器管１０の内部には、充填物であるモルタル１２が、芯材１１を埋め込んで、かつ磁器管１０の内面と略密着するよう充填して固化してある。
【００３１】
芯材１１は、剛性及び所要の引っ張り強度を有する直線状の線状体である棒状体１１０を備えている。棒状体１１０には芯材１１がモルタル１２から抜けないようにする抜け防止部材１１４が、所要間隔をおいて二箇所に固定した状態で取り付けてある。棒状体１１０の両端側にはネジ溝部１１３が形成されている。芯材１１は、棒状体１１０が磁器管１０内の略中心部を通る位置に配置される。
【００３２】
固定金具２は、管構造体１と壁部に固定される固定部材２０と、固定部材２０の表面側に取り付けて外観を良くする化粧カバー２１を備えている。固定部材２０は、管構造体１の端部に取り付けられる嵌合部２００と、壁面に取り付けられる固定部２０１と、それらの間を繋ぐ接合部２０２を備えている。
【００３３】
管構造体１の両端部には、固定部材２０の嵌合部２００が取り付けられる。固定部材２０は、嵌合部２００の奥壁部に形成してある貫通孔２０３に棒状体１１０のネジ溝部１１３を通し、奥壁部の反対側からワッシャーＷ１を嵌め入れ、ナットＮで締め付けることで管構造体１の端部に固定されている。固定部材２０を固定した管構造体１は、固定部材２０の固定部２０１に形成してある貫通孔２０４を通して木ねじを壁部にねじ込むことで壁面に固定される。化粧カバー２１は、管構造体１が壁面に固定された状態で固定部材２０の表面側に取り付けられる。化粧カバー２１は、固定部材２０を壁面に固定した後に取り付けられる。
【００３４】
（作  用）
図１及び図２を参照して本実施の形態で示す手すりＴ１の作用を説明する。
手すりＴ１は、磁器製の磁器管１０を使用して形成してあるので、従来の木製、金属製、合成樹脂製のものにはない独特の風合いと質感を有しており、斬新な外観で差別化を図ることができる。また、磁器管１０の外表面には、絵付けにより装飾が施してあるので、意匠性を付与することもできる。
【００３５】
磁器は、耐腐食性、耐光性、耐薬品性等の性質を有している。従って、手すりＴ１についても耐腐食性、耐光性、耐薬品性等耐候性を有しており、例えば、室外に設置された場合でも長期間品質が劣化しない。これにより手すりＴ１は、例えば、金属等のものでは今まで長期にわたる設置が困難であるとされていた温泉や海辺等の場所でも支障なく設置可能である。
【００３６】
手すりＴ１は、磁器管１０の内部に芯材１１が埋め込んであるので、例えば、衝撃によって磁器管１０やモルタル１２が割れた場合でも破断せず、使用状態において脱落しない。
【００３７】
また、不要になった手すりＴ１は、磁器管１０やモルタル１２を破砕することもでき、これらを破砕すれば、埋め込んであった芯材１１を簡単に取り出すこともできる。つまり、手すりＴ１は、モルタル１２と磁器管１０からなる無機質系の材料と、芯材１１を構成する金属とに簡単に分別でき、リサイクル容易な状態で廃棄できる。
【００３８】
図３は本発明に係る手すりの第２の実施の形態を示す斜視説明図、
図４は図３に示す手すりの端側を示す断面説明図、
図５は管体の内部に配置する芯材の一部を示す斜視説明図である。
なお、図３ないし図５において、上記図１及び図２で示したものと同一または同等箇所には同一の符号を付して示している。また、以下の説明において構造について上記で示した箇所と重複する説明は、必要な事項を除き省略する。
【００３９】
手すりＴ２は、管構造体１ａと固定金具２，２を備えて構成されている。
管構造体１ａは、曲部（円弧部）を備え、いわゆる波形形状を有するよう形成してある磁器管１０ａを備えている。
【００４０】
磁器管１０ａの内部には金属製の芯材１１ａが貫通させて設けてある。芯材１１ａは、所要の引っ張り強度を有する線状体であるワイヤー１１０ａと、ワイヤー１１０ａが磁器管１０ａ内の略中心部を通る位置に配置されるようにする略「十」型状に形成したスペーサ１１１と、線材を所要ピッチでコイル状に巻いて直径が磁器管１０の内径よりやや径小になるよう形成してある螺旋体１１２を備えて構成してある。
【００４１】
芯材１１ａは、磁器管１０ａと略同じ長さを有するようにした螺旋体１１２の内部にワイヤー１１０ａを貫通させて、螺旋体１１２とワイヤー１１０ａとの間にスペーサ１１１を介在させることで、ワイヤー１１０ａが螺旋体１１２の略中心部を通る位置に配置されるよう組み合わせてある。詳しくはスペーサ１１１は、交差部近傍をワイヤー１１０ａに溶接し、四方の端部を螺旋体１１２の対応する箇所に溶接して組み合わせてある。スペーサ１１１はワイヤー１１０ａの長さ方向に所要ピッチで取り付けてある。
【００４２】
芯材１１ａは、組み合わせた状態で磁器管１０ａの内部に入れることにより、螺旋体１１２の外部側が磁器管１０ａの内面に実質的に当たり、これにより曲部を有する磁器管１０ａであってもワイヤー１１０ａが磁器管１０ａ内の略中心部を通る位置に配置される。
【００４３】
管構造体１ａの両端部には、固定部材２０の嵌合部２００が取り付けられる。固定部材２０は、嵌合部２００の奥壁部に形成してある貫通孔２０３にワイヤー１１０ａを通し、引っ張った状態で奥壁部の反対側に合成樹脂製のワッシャーＷ２とかしめ具Ｋを設け、かしめることで管構造体１ａの端部に固定されている。
【００４４】
（作  用）
手すりＴ２では、芯材１１ａが、螺旋体１１２の内部にワイヤー１１０ａを貫通させ、螺旋体１１２とワイヤー１１０ａとの間にスペーサ１１１を介在させて形成してあり、螺旋体１１２の略中心部を通る位置にワイヤー１１０ａが配置されるようにしてあるので、磁器管１０ａの内部に入れることにより、螺旋体１１２の外部側が磁器管１０ａの内面に実質的に当たり、これにより曲部を有する磁器管１０ａであってもワイヤー１１０ａを磁器管１０ａ内の略中心部を通る位置に配置できる。従って、手すりＴ２は、全長にわたって略均等な強度を備えるようできる（強度に偏りが生じ難い）。
【００４５】
上記実施の形態において固定金具２を構成する固定部材２０と化粧カバー２１は、いずれも鋳造品で、腐食防止のために全体にメッキが施してあるものを使用した。しかし、固定具はこれに限定するものではなく、例えば、木材、合成樹脂、陶磁器を使用したもの等を使用することもできる。
【００４６】
上記実施の形態では磁器管１０（１０ａ）の内部にモルタル１２を充填したが、これは限定するものではなく、充填後固化して磁器管１０（１０ａ）の内面と密着できるものであれば、例えば、合成樹脂や天然樹脂等を使用することもできる。
【００４７】
上記実施の形態で示す手すりＴ１、Ｔ２には設けていないが、別途、磁器管１０（１０ａ）の内部には発熱手段を設けることも可能である。発熱手段を設けることにより管構造体１を温めたり冷たくしたりすることが可能であり、冬期や夏場における手すりＴ１の使い心地を良くすることができる。発熱手段は、温める場合では、例えば、ニクロム線等の発熱体を内蔵したり、芯材に電気を通して発熱させたりすることによって構成できる。また、発熱手段は、磁器管１０（１０ａ）の全長にわたって設けることもできるし、部分的に設けることもできる。
【００４８】
上記実施の形態で示す手すりＴ１、Ｔ２には、例えば、表面に光触媒（例えば、酸化チタン等）を設けることもでき、これにより脱臭効果、防汚効果、抗菌効果等を付与することも可能である。なお、これらの効果は光触媒以外の手段によって付与することもできる。このような効果を有する手すりは、例えば、病院や福祉施設等の場所での適応性が向上する。
【００４９】
上記実施の形態で示す手すりＴ１、Ｔ２の表面には、滑り止め手段を設けることも可能である。滑り止め手段は、例えば、磁器管１０の表面に細かい凹凸を形成したり、滑り止め効果を備えるシール材やシート材を設けたりして構成できる。
【００５０】
なお、上記した手すりＴ１で用いた芯材１１は、手すりＴ２で示すもののように、棒状体１１０にスペーサ１１１と螺旋体１１２を組み合わせて形成することもできる。また、芯材１１ａを手すりＴ１の芯材として使用することもできる。
【００５１】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【図面の簡単な説明】
【００５２】
【図１】本発明に係る手すりの第１の実施の形態を示す斜視説明図。
【図２】図１に示す手すりの端側を示す断面説明図。
【図３】本発明に係る手すりの第２の実施の形態を示す斜視説明図。
【図４】図３に示す手すりの端側を示す断面説明図。
【図５】磁器管の内部に配置する芯材の一部を示す斜視説明図。
【符号の説明】
【００５３】
Ｔ１，Ｔ２  手すり
Ｋ  かしめ具
Ｎ  ナット
Ｗ１，Ｗ２  ワッシャー
１，１ａ  管構造体
１０，１０ａ  磁器管
１１，１１ａ  芯材
１１０  棒状体
１１０ａ  ワイヤー
１１１  スペーサ
１１２  螺旋体
１１３  ネジ溝部
１２  モルタル
２  固定金具
２０  固定部材
２００  嵌合部
２０１  固定部
２０２  接合部
２０３  貫通孔
２０４  貫通孔
２１  化粧カバー
【図１】
2006257818.tif 000003
【図２】
2006257818.tif 000004
【図３】
2006257818.tif 000005
【図４】
2006257818.tif 000006
【図５】
2006257818.tif 000007